Podtech/llm-jp-corpus-v4-ja_patent huggingface dataset:
(57)【要約】      （修正有）【課題】ユーカリ葉微粉を分散充填した駆虫・防腐・咳止・芳香のあるポリ袋を提供する。【解決手段】乾燥・粉砕したユーカリ葉微粉１をポリプラスチック素材２に、分散・充填し、フィルムに成型する。微粉・高充填・平滑面で且つ高強度を得るには、表面材と芯材とを使い、二層・三層構造とすると良い。【選択図】図１
0003195165.tif 000002
【実用新案登録請求の範囲】
【請求項１】
一般に多用されるポリ袋の使用時  その素材に含まれるシネオール等の駆虫剤・防腐剤が蒸散し、内容物や周囲の保護・改善に有益な  ユーカリ葉乾燥粉体充填ポリ袋。
【考案の詳細な説明】
【技術分野】
【０００１】  従来  この分野のポリ袋では  化学的に中性で安定な事のみ重視されていたが、近頃は内容物への積極的な保護から  その周辺の環境改善・健康促進まで配慮する様になった。そこで  天然素材で駆虫・防腐性が有り  咳止め・香気性まであり  コアラが常食するユーカリの葉を  乾燥・粉砕し  充填剤として適当量配合しようとするものである。
【背景技術】
【０００２】  ポリ袋の内容物保護の為  生の葉は同封されていたし、それ自体は医療・香料で使われその有益性は  コアラの例を知らずとも明白である。
【考案の開示】
【考案が解決しようとする課題】
【０００３】  ユーカリ葉粉の主要成分はシネオールだが  揮発し易く  乾燥には特別配慮が要る。
粉砕にも  それなりの工夫が必要で  密封度・配合比などケースバイケースである。
【課題を解決するための手段】
【０００４】  葉粉を細かくすれば  揮発し易くポリの素材強度も守れるが、充填率には限界がある。葉粉を粗くすれば  充填量は大きくなるが  配合効果と素材強度と美観は損なわれる。
【考案の効果】
【０００５】  加工設備・工程に大きな違いも無く、使途に何等制限も無く、使い勝手は自由である。
【考案を実施するための最良の形態】
【０００６】  図１のように  微粉・高充填・平滑面で且つ高強度を得るには  表面材と芯材とを使い、二層・三層構造とすると良い。
【実施例１】
【０００７】図２のような  単層・中充填・中強度の葉粉配合ポリ袋素材。
【産業上の利用可能性】
【０００８】  ポリ袋に限らず  薄幕平坦プラフィルムの駆虫・防腐・咳止め・芳香効果に役立つ。
【図面の簡単な説明】
【０００９】
【図１】微粉多配合フィルムを表材に  無配合フィルムを芯材に配した  三層膜。
【図２】単層・中充填・中強度の葉粉配合ポリ袋素材。
【符号の説明】
【００１０】    １  ユーカリ葉微粉
２  プラスチックフィルム素材
３  葉微粉多配合フィルム材
【図１】
0003195165.tif 000003
【図２】
0003195165.tif 000004
(57)【要約】      （修正有）【課題】パンフレットや所要の書類に挟持できる名刺を提供する。【解決手段】薄板状の紙材によって形成され、前記紙材の表面外周部に沿ってＵ字形またはコ字形状のスリット１１により形成された引掛け片１２を有する名刺１０。【選択図】図１
0003195167.tif 000002
【実用新案登録請求の範囲】
【請求項１】
薄板状の紙材によって形成され、前記紙材の表面外周部に沿ってＵ字形またはコ字形状のスリットにより形成された引掛け片を有することを特徴とする名刺。
【考案の詳細な説明】
【技術分野】
【０００１】この考案は、しおり、クリップ、名札など多目的な用途に利用できる名刺に関するものである。
【背景技術】
【０００２】日本では初対面のときや商取引などを行う場合に、名刺交換をすることが一般的である。その機会の時に、名刺を渡した相手に注目や印象を与えられるかが重要になる。そこで、形状を従来の大きさや形や色を異なるようにすると、注目や印象を与えることはできるが、特に大きさを変えた場合は、名刺入れや名刺ケースの中に保管することが難しくなったりしていた。
また、名刺の左右の一部に切り込みを入れて形成した書類クリップ用のクリップ片を有するものもあった。
【先行技術文献】
【特許文献】
【０００３】
【特許文献１】実用新案登録第３１０１１８７号
【考案の概要】
【考案が解決しようとする課題】
【０００４】本考案が解決しようとする課題は、名刺と所要の書類とを挟持する場合に、従来金属製のクリップやホッチキス針の使用をなくしたりすることができ、又、名刺の左右の一部にしかクリップ片がない場合には、名刺と所要の書類とを挟持できないという点である。
【課題を解決するための手段】
【０００５】薄板状の紙材によって形成され、前記紙材の表面外周部に沿ってＵ字形またはコ字形状のスリットにより形成された引掛け片を有することを特徴とする名刺。
【考案の効果】
【０００６】本考案の名刺は、本来の名刺として使用し、同時に名刺の表面外周部にコ字状、Ｕ字状等のスリットを設けているので、このスリットに囲まれた引掛け片によってチラシや本のページ面に差し込み引掛けることが簡単にできて、名札やしおりなどとして幅広く利用することができる。
【図面の簡単な説明】
【０００７】
【図１】本考案を一実施の形態である名刺の正面図である。
【考案を実施するための形態】
【０００８】  本考案を実施するための形態を以下の図に示す実施例に基づいて説明する。
【実施例】
【０００９】  以下、本考案の実施例を図に基づいて説明する。
図１は本考案の一実施の形態にかかる名刺の正面図である。この名刺１０は、通常使用されている名刺と同様のやや厚めの薄葉紙（薄板状の紙材）を、所謂名刺サイズの矩形状に形成したものである。そして、名刺１０の上側の短辺の上縁部分から下端部にかけて、図示のように左右両側と下側の三方をコ状に細いスリット１１を形成し、このスリット１１を名刺１０の表面周辺部に沿って形成することによって縦長の名刺１０の中央部に、四角形状の引掛け片１２を形成している。この名刺１０の引掛け片１２には、会社名や氏名、住所、電話番号を印刷している。
【産業上の利用可能性】
【００１０】本考案は名札をはじめしおりなど種々の目的・用途に利用できる多用途の名刺に関するものである。
【符号の説明】
【００１１】１０  名刺
１１  スリット
１２  引掛け片
【図１】
0003195167.tif 000003
(57)【要約】      （修正有）【課題】手間やコストがかからず、運搬中の切り花の水漏れを防止して、切り花の乾燥、萎えを抑えることが容易に出来る切り花運搬用補助チューブを提供する。【解決手段】水を補給した本体容器１０の上部口頸部１１上縁に装着され、本体容器内に押し込まれた切り花運搬用補助チューブ２０であり、本体容器の高さよりも短く形成され、切り花の茎が挿入可能な切欠きが設けられ、切り花茎径の大小に関わらず、縮径して、切り花茎径と密着して水が逆流して外部に漏れることを防止する。【選択図】図１
0003195303.tif 000002
【実用新案登録請求の範囲】
【請求項１】
本体容器の口頸部上縁に装着し、且つ内部には切り花の茎が挿入可能な切欠きを設けた、切り花運搬用補助チューブであって、当該補助チューブが、本体容器内部に縮径しながら押込み可能且つ本体容器よりの高さよりも短く形成され、補助チューブに切り花を押込んだ状態で挿入することにより補助チューブと切り花茎束が密着して外部の水漏れを防止することを特徴とする切り花運搬用補助チューブ。
【請求項２】
前記補助チューブの素材を収縮性素材を用いたことを特徴とする請求項1記載の切り花運搬用補助チューブ。
【考案の詳細な説明】
【技術分野】
【０００１】
本考案は、切り花の運搬、保管などに用いられる補助具に関するものである。
【背景技術】
【０００２】
従来、切り花は、卸売市場、小売店を経て消費者へ渡りますが、流通過程において鮮度を保持する為、水を入れた運搬用の容器又は吸水性ポリマーに入れています。また、一般消費者が贈答用として切り花を注文する際、小売店では、切り花の切口に吸水性ポイマー等で保水処理をして、樹脂フィルムにて包んで渡している為、作業性が悪く、また、切り花の鮮度が保持されません。
【先行技術文献】
【特許文献】
【０００３】
【特許文献１】特許第3754664号
【特許文献２】特許第4231039号
【考案の概要】
【考案が解決しようとする課題】
【０００４】
従来の切り花運搬及び贈答用切り花包装では、吸水性ポリマーや吸水用容器を使用しますが、吸水性ポリマーでは水の補給が悪く、収容した切り花が乾燥したり萎れたりし、また、吸水用容器だけでは、水が外に流出してしまう問題がありました。
【０００５】
従来の保水及び鮮度保持に用いられる吸水性ポリマーや本体容器（蓋有り）は少量の切り花を運搬する際や贈答で使用する際、コスト面で使用が出来なくて、樹脂製フィルム等の簡易包装処理される為、切り花の乾燥や萎れが発生する問題があった。
【課題を解決するための手段】
【０００６】
本考案は、有底で且つ上部が開口する本体容器に、本体容器の上部から内部に向けて装着する切り花用筒状チューブであり、切り花用筒状チューブは上方端が本体容器の外部に装着するよう広がり、下方端は本体容器の底部に向けて開口しており、切り花の茎をホールドし、尚且つ本体容器内の水分の逆流を防止するものである。
【０００７】
本考案は、切り花の運搬時や保管時に生じる切り花の乾燥や萎れの防止に必要な保水用の水を貯留する本体容器と、この本体容器内に入れられる切り花の束を、本体容器の底面に対して起立状態で保持するとともに水が漏出するのを防止する事を特徴とするものである。
【０００８】
本考案は収縮性素材のチュ−ブを使用している為、切り花の束の増減に対しても、使用可能で、更にチューブの径を変えることにより、さまざまな現本体容器に装着出来るものである。
【考案の効果】
【０００９】
本考案の切り花運搬用補助チューブを、水を注入した本体容器の口頸部に装着し、切り花の茎束を上部開口部から本体容器内に挿入することにより、茎束を圧着して水が外部に漏れず、切り花の乾燥を防ぎ、萎えを防止することが出来る。
【００１０】
本考案の切り花運搬用補助チューブを水を注入した本体容器に装着することにより、高価な吸水性ポリマー使用したり、簡易保水処理をした樹脂フィルムにて包むことに比べて手間が掛からず、コスト安となる。また、切り花の鮮度保持ができる。
【図面の簡単な説明】
【００１１】
【図１】本考案の一実施形態の切り花運搬用補助チューブを、本体容器に設置した状態を示す側面図である。
【図２】本考案に於ける切り花運搬用補助チューブである。
【図３】本考案に於ける切り花運搬用補助チューブの別形態である。
【考案を実施するための形態】
【００１２】
本考案の切り花運搬用補助チューブは、切り花の運搬時に切り花の乾燥、水漏れを防ぐものである。実施形態の切り花運搬用補助チューブについては、次に図を用いて詳細に説明する。
【００１３】
本考案の一実施形態の切り花運搬用補助チューブ（20）は、図1に示すように、本体容器（10）の上部口頸部（11）周縁に切り花運搬用補助チューブ（20）の上部開口部（21）を被せて、密着させ、切り花運搬用補助チューブ（20）の内径が弾性を有した形で拡縮可能となっており、切り花茎径を挿入すると、茎径と補助チューブが密着させるものである。
【符号の説明】
【００１４】
10・・・・・・本体容器
20・・・・・・切り花運搬用補助チューブ
11・・・・・・本体容器口頸部
21・・・・・・切り花運搬用補助チューブ上部開口部
【図１】
0003195303.tif 000003
【図２】
0003195303.tif 000004
【図３】
0003195303.tif 000005
【手続補正書】
【提出日】平成26年10月30日(2014.10.30)
【手続補正１】
【補正対象書類名】実用新案登録請求の範囲
【補正対象項目名】請求項１
【補正方法】変更
【補正の内容】
【請求項１】
本体容器の口頸部上縁に装着し、且つ内部には切り花の茎が挿入可能な切欠きを設けた、
切り花運搬用補助チューブであって、当該補助チューブが、本体容器内部に縮径しながら
押込み可能且つ本体容器の高さよりも短く形成され、補助チューブに切り花を押込んだ状態で
挿入することにより補助チューブと切り花茎径が密着して外部の水漏れを防止することを特徴と
する切り花運搬用補助チューブ。
(57)【要約】      （修正有）【課題】屋内外の多様な場所で使用できる多目的マットを提供する。【解決手段】ポリエチレンまたはポリエステル製の空隙率７０〜９５％の網状骨格体が積層することで構成され、水切り効果や緩衝作用、通気性があることで、水回りや、衝撃を吸収させたい場所や、通気性や熱発散を求める場面など、多様な目的で使用できるようにした。【選択図】図１
0003195307.tif 000002
【実用新案登録請求の範囲】
【請求項１】
ポリエチレン、またはポリエステル製の空隙率７０〜９５％の網状骨格体が積層してなること、水切り効果や緩衝作用、通気性を持つことを特徴とする多目的マット。
【請求項２】
ポリエチレン、またはポリエステル製の空隙率７０〜９５％の円筒状の網状骨格体が積層してなること、水切り効果や緩衝作用、通気性を持つことを特徴とする多目的マット。
【考案の詳細な説明】
【技術分野】
【０００１】  本考案は、水切りや緩衝作用、通気性を持つことを特徴とする多目的マットに関する。
【背景技術】
【０００２】  従来マットは、屋内、屋外さまざまな場所で、吸水のため、転倒時の衝撃吸収のため、汚れ防止、寝具やインテリアとしてなど多種多様な目的で利用されており、適宜目的に応じて異なるマットを選択して使用していた。【０００３】  また、従来の通気性のある網状構造のマットは肌触りが悪く、寝具として使用するときはカバーをつけて使用しており、網状構造のマットを直接使用することはなかった。
【考案の概要】
【考案が解決しようとする課題】
【０００４】  そこで、本考案は、肌触りがよく、緩衝作用、通気性また水切り効果があるといった特徴を持つことで多様な目的、場所で使用できるマットを提供する。
【課題を解決するための手段】
【０００５】  本考案のマットは、空隙率７０〜９５％の網状骨格体が積層してなり、水切り効果、緩衝作用、通気性など優先させたい特徴に応じて空隙率を変えることによってその特徴の効果を高め、使用目的にとって最適な状態のマットとする。【０００６】  また、本考案品は、材質にポリエチレンまたはポリエステル樹脂を用い、直接地肌に触れても不快感がないようにした。
【考案の効果】
【０００７】  本考案のマットは、肌触りがよく、また網状骨格体のみで構成されているので、水切り効果、緩衝作用、通気性があり、浴室やプールサイドや海辺などの水まわりに、乳幼児や高齢者の転倒時の保護用として、簡易寝具として、テレビやパソコンなど熱を発散しつつ保護もしたい電化製品の下敷きとしてなど、多目的に使用することができるため有用性が高い。
【図面の簡単な説明】
【０００８】
【図１】  本考案品を実施するための基本の形態。
【図２】  図１を上から見た図である。
【図３】  本考案品を実施するための円筒状の基本の形態。
【図４】  図３を横から見た図である。
【図５】  図３を連結した形態。
【図６】  図５を横から見た図である。
【図７】  図１と図３を連結した形態。
【考案を実施するための形態】
【０００９】  以下、本考案の実施の形態を図に基づいて説明する。
【実施例】
【００１０】  図１は、本考案品の基本の形態であり、ポリエチレンまたはポリエステル樹脂からなる線径０．１〜２．０ｍｍの線条で形成された網状骨格体で構成されており、空隙率は７０〜９５％である。厚さが１０ｍｍから１５０ｍｍで、幅は２ｍ以下、長さは適宜目的に応じた長さにすることが可能である。【００１１】  図３は、図１と同様の条件の網状骨格体で円筒を積層して形成した形態で、直径は５０〜１５０ｍｍ、目的に応じた長さで、また図５のようにこの円筒を部分的に熱接合することによって、使用場所に応じた幅、高さとなるようこの円筒を組み合わせて使用できる。【００１２】  図７は、図１と図３の形態の本考案品を組み合わせ、図３を枕部とした寝具用マットとしての形態で使用可能である。
【産業上の利用可能性】
【００１３】  本考案のマットは、水切り効果、緩衝作用、通気性があるので、水回りや、廊下や階段などの保護マットとして、昼寝などの簡易的な寝具マットとして、保育施設や学校、福祉施設などで活用できる。
【図１】
0003195307.tif 000003
【図２】
0003195307.tif 000004
【図３】
0003195307.tif 000005
【図４】
0003195307.tif 000006
【図５】
0003195307.tif 000007
【図６】
0003195307.tif 000008
【図７】
0003195307.tif 000009
(57)【要約】      （修正有）【課題】猛暑において、作業用ジャンパー等の上衣の両脇部を必要に応じて開放して通気性を高め、閉鎖時には一般的な作業服である通気性機能を有する上衣を提供する。【解決手段】作業用ジャンパー等の上衣１において、両脇の縫い合わせ部Ａ，Ｂに、それぞれ線ファスナー２を設け、開閉自在に形成し、且つ、線ファスナー２の内側であって、両脇の縫い合わせ部をそれぞれ通気性を有する生地３で覆い、両脇の縫い合わせ部Ａ，Ｂの下部を、ボタン等の留め具４で着脱自在とする。【選択図】図２
0003195367.tif 000002
【実用新案登録請求の範囲】
【請求項１】
作業用ジャンパー等の上衣（１）において、
両脇の縫い合わせ部（Ａ）（Ｂ）に、それぞれ線ファスナー（２）を設け、開閉自在に形成し、
且つ、前記線ファスナー（２）の内側であって、両脇の縫い合わせ部をそれぞれ通気性を有する生地（３）で覆い、
両脇の縫い合わせ部（Ａ）（Ｂ）の下部を、ボタン等の留め具（４）で着脱自在とした  ことを特徴とする通気性機能を有する上衣。
【請求項２】
通気性を有する生地（３）は、下端に補強布（３ａ）を設けた長細い三角形状であり、前身頃の脇部、後身頃の脇部、袖つけの下端にそれぞれ縫着したことを特徴とする請求項１記載の通気性機能を有する上衣。
【請求項３】
通気性を有する生地（３）の素材が、メッシュ地であることを特徴とする請求項１または２記載の通気性機能を有する上衣。
【考案の詳細な説明】
【技術分野】
【０００１】
この考案は、通気性機能を有する上衣に関するものであり、特に、作業服の上衣に関するものである。
【背景技術】
【０００２】
従来より作業用ジャンパー等の上衣は、室内・外を問わず作業中には汗をかき、特に、猛暑時の作業では体温が上昇し、その結果、発汗作用が活発となり、上衣内は蒸れ、大量の汗をかくと濡れた状態となり、作業能率が下がる傾向にあった。
【０００３】
そのため、通気機能を有する衣服が開発されているが、この衣服の技術は、できるかぎり外部から露出しない部分を通気構造としたものであり、前身頃とヨークの肩縫着部において、襟首部側と袖側の両端部を残して中央部を開放形式とし、その開放部分にメッシュ地を縫着している。例えば、特許文献１のように。
【０００４】
しかし、上記衣服では、衣服の意匠性を損なうことなく、従来以上に効率的な通気性を確保するよう配慮した構成であるとの記載があるが、意識的に身体を動かしヨークが開くようにし、ヨークと前身頃の間に隙間を形成しなければ通気性には乏しく、普通の上衣であればよいが、作業用の上衣には不向きなものであった。
【０００５】
さらに、高温の場所、特に屋内での作業に着用するよう構成された上衣は存在した。例えば、特許文献２のように。
【０００６】
しかし、この技術も、後身頃にヨークのある上衣であって、後身頃の殆どがメッシュ生地で構成された上衣であり、夏期には十分な通気性があるため良好であるが、冬期の作業には不向きな上衣であった。
【先行技術文献】
【特許文献】
【０００７】
【特許文献１】実用新案登録第３０５７１４１号公報
【特許文献２】実用新案登録第３１６８２３９号公報
【考案の概要】
【考案が解決しようとする課題】
【０００８】
そこで、この考案が解決しようとする課題は、猛暑において、作業用ジャンパー等の上衣の両脇部を必要に応じて開放して通気性を高め、閉鎖時には一般的な作業服となる通気性機能を有する上衣を開発・提供することにある。
【課題を解決するための手段】
【０００９】
この考案の通気性を有する上衣は、
作業用ジャンパー等の上衣において、
両脇の縫い合わせ部を、それぞれ線ファスナーを設け、開閉自在に形成し、
且つ、前記線ファスナーの内側であって、両脇の縫い合わせ部をそれぞれ通気性を有する生地で覆い、
両脇の縫い合わせ部の下部を、ボタン等の留め具で着脱自在とした
ことを特徴とする。
【００１０】
通気性を有する生地は、下端に補強布を設けた長細状であり、前身頃の脇部、後身頃の脇部、袖つけの下端とに縫着した
ことを特徴とする。
【００１１】
通気性を有する生地の素材が、メッシュ地である
ことを特徴とする。
【考案の効果】
【００１２】
この考案によると、留め具を外し、線ファスナーを開けると、内部は通気性を有する生地で覆われ、両脇に抜けるため通気性がよくベンチレーション機能を高め、上衣内の温度環境をよくするという極めて有益なる効果を奏する。
【００１３】
また、線ファスナーを閉じた状態では普通の作業服等の上衣となり、さらに、留め具で上衣を固定することにより安全性と見た目もよくなる等の極めて有益なる効果を奏する。
【図面の簡単な説明】
【００１４】
【図１】この考案の一実施例を示す一部欠截正面図である。
【図２】この考案の一実施例を示す側面図である。
【図３】この考案の一実施例を示す一部欠截要部拡大裏面図である。
【図４】この考案の一実施例を示す一部欠截要部拡大正面図である。
【考案を実施するための形態】
【００１５】
以下、この考案について詳細に説明する。尚、この考案においては、以下の記述に限定されるものではなく、この考案の要旨を逸脱しない範囲においては適宜変更可能である。
【実施例】
【００１６】
先ず、この考案の一実施例を図面に基づいて詳述すると、作業用ジャンパー等の上衣（１）において、両脇の縫い合わせ部（Ａ）（Ｂ）を、それぞれ線ファスナー（２）を設け、開閉自在に形成し、且つ、前記線ファスナー（２）の内側であって、両脇の縫い合わせ部をそれぞれ通気性を有する生地（３）で覆い、両脇の縫い合わせ部（Ａ）（Ｂ）の下部を、ボタン等の留め具（４）で着脱自在としたことを特徴とする通気性機能を有する上衣より構成される。
【００１７】
尚、作業用ジャンパー等の上衣（１）は、長袖でも半袖でもよく、作業服やジャンパーであってもよい。
【００１８】
そして、両脇の縫い合わせ部（Ａ）（Ｂ）とは、前身頃の縫い合わせ部が（Ａ）であり、後身頃縫い合わせ部が（Ｂ）であり、上衣（１）の左側のみを示したが、当然、右側にも設けるものである。
【００１９】
また、通気性を有する生地（３）は、下端に補強布（３ａ）で補強した細長い三角形状であり、前身頃の脇部、後身頃の脇部、袖つけの下端にそれぞれ縫着したことを特徴とする通気性機能を有する上衣である。
【００２０】
さらに、通気性を有する生地（３）の素材が、メッシュ地であることを特徴とする通気性機能を有する上衣である。
【００２１】
さらにまた、上衣の下端部付近に設ける留め具（４）が、ボタンの他、バックル或いは、尾錠等であってもよく、過度の広がりを抑えるものである。
【００２２】
尚、後身頃のヨークから両肩口に襞を設け、該襞部をメッシュ地で覆った開口部を設ければ、さらに、ベンチレーション機能が優れた上衣となるものである。
【産業上の利用可能性】
【００２３】
この考案の通気性機能を有する上衣の技術を確立し、実施することにより、産業上利用できるものである。
【符号の説明】
【００２４】
１  上衣
３  線ファスナー
３ａ  通気性を有する生地
４  留め具
Ａ，Ｂ  脇の縫い合わせ部
【図１】
0003195367.tif 000003
【図２】
0003195367.tif 000004
【図３】
0003195367.tif 000005
【図４】
0003195367.tif 000006
(57)【要約】      （修正有）【課題】洋服ダンスには扉の内側に鏡がついていることが多い。しかしながら、この扉の内側の鏡は当然、小さいものでとても全身を映すものではない。また、扉の内側であるため、扉を開いて、かつその内側に立つ必要がある。よって、種々のポーズで大きく映すことも難しい。要するに全身を映す鏡が必要であり、そのためには大きな姿見がいるのである。これは、嵩がたかくどうしても邪魔になる。とくに日本のように狭い住宅では空間効率から載置は難しい。そこで、空間的に邪魔にならず、自由に全身を映すだすことができる鏡を用いた屋内装具を提供する。【解決手段】その表面側の同一部材全体に鏡３を固着した屋内装具。【選択図】図１
0003195390.tif 000002
【実用新案登録請求の範囲】
【請求項１】
その表面側の同一部材全体に鏡を固着したことを特徴とする鏡を用いた屋内装具。
【請求項２】
該屋内装具は、家具である請求項１記載の鏡を用いた屋内装具。
【請求項３】
該屋内装具は、ドアである請求項１記載の鏡を用いた屋内装具。
【請求項４】
該屋内装具は、部屋を仕切るパーティションである請求項１記載の鏡を用いた屋内装具。
【請求項５】
該鏡は、プラスチック板にアルミニウム蒸着したものである請求項１乃至４のいずれか１項に記載の鏡を用い屋内装具。
【請求項６】
該鏡は、プラスチック板にアルミニウム蒸着したものを、発泡プラスチックの表裏にアルミ箔を貼ったものに固着したものである請求項１乃至５のいずれか１項に記載の鏡を用いた屋内装具。
【請求項７】
該鏡は、被貼着部の突起物の部分はくり抜かれているものである請求項１乃至６のいずれか１項に記載の鏡を用いた屋内装具。
【考案の詳細な説明】
【技術分野】
【０００１】
本考案は、鏡を用いた屋内装具に関するものである。
【背景技術】
【０００２】
屋内装具の代表である家具、例えば、洋服ダンスでは、その中の服を選んでその前で着替えるものである。その場合、通常は鏡を見ながら行うため、洋服ダンスには扉の内側に鏡がついていることが多い。
【０００３】
しかしながら、この扉の内側の鏡は当然、小さいものでとても全身を映すものではない。また、扉の内側であるため、扉を開いて、かつその内側に立つ必要がある。よって、種々のポーズで大きく映すことも難しい。
【０００４】
要するに全身を映す鏡が必要であり、そのためには大きな姿見がいるのである。これは、嵩がたかくどうしても邪魔になる。とくに日本のように狭い住宅では空間効率から載置は難しい。
【考案の概要】
【考案が解決しようとする課題】
【０００５】
そこで、空間的に邪魔にならず、自由に全身を映すだすことができる鏡を用いた屋内装具を提供する。
【課題を解決するための手段】
【０００６】
以上のような現状に鑑み、本考案者は、鋭意研究の結果本考案鏡を用いた屋内装具を完成したものであり、その特徴とするところは、その表面側の同一部材全体に鏡を固着した点にある。
【０００７】
ここで屋内装具とは、一般家庭内に載置する又は取り付けるものをいう。例えば、家具、ドア、パーティション、衝立等である。要するに、その前に立ち、自身を写しだすことができる場所にあればよい。
【０００８】
家具としては、洋服ダンス等の背の高いもので大きな扉や大きな前面部があるものである。洋服ダンス以外、何を収納するものでもよい。一般的に家具と呼ばれなくても、屋内に置くもので収納するものであればよい。
【０００９】
ドアは、屋内のドアであり、引き戸でも、開き戸でもよい。どの部分のドアであってもよい。例えば、風呂場のドア、ウォークインクローゼットのドア、玄関に近いドアや戸、その他全身を映してチェックしたい場所にあるものが好ましい。
【００１０】
パーティションは事務所等でよく使用されている仕切りである。このパーティションに使用すると部屋が広く見えるという効果もある。衝立も同様であり、和風衝立も洋風衝立でもよい。
【００１１】
その表面側の同一部材全体とは、例えば、家具ならば従来のようにその表面の一部に鏡を貼るのではなく、全面か又はその扉のような１部材全面に貼るのである。これによってほぼ全身を映せるようになる。
ドアならば、そのドア全面に貼るのである。このとき、ドアのノブや引き戸の取っ手等の部分は、鏡をくりぬいて貼る。このように取っ手等の部分をくり抜いて貼ることで全面になり、より写し面が大きくなるだけでなく、全面であることの面白さがある。
【００１２】
タンスでは、その１枚の扉全体に貼るのである。勿論、複数枚に貼ってもよい。パーティションや衝立では、その面全体である。
【００１３】
貼る鏡は通常のものでもよいが、プラスチック板にアルミニウム蒸着したものが好適である。大きくしているため、ガラスでは割れる心配がある。よって、プラスチック製（ポリエチレンテレフタレート、ポリカーボネート等）が好適である。
さらに、鏡を固着したものとして、発泡ポリエチレン、発泡ポリプロピレン、発泡ポリスチレン等の板の表裏にアルミ箔を貼ったものを基材にして、それに上記したプラスチック鏡を貼ったものでもよい。これならば、そのまま戸やパーティションに使用できる。
【考案の効果】
【００１４】
本考案には、次のような大きな利点がある。
（１）  大きな鏡は身近にあるため身だしなみのチェックが容易である。
（２）  健康管理にも有効である。
（３）  ドアや家具に固着しているため、邪魔にならない。
【図面の簡単な説明】
【００１５】
【図１】本考案の１例を示す斜視図である。
【図２】本考案の他の例を示す斜視図である。
【考案を実施するための形態】
【００１６】
以下好適な実施例に基づいて本考案をより詳細に説明する。
図１は、本考案の屋内装具の１つである洋服ダンス１である。このタンスは２段の引き出し２の上に洋服入れがあり扉が２枚となっている。この扉の１方を全面鏡３にしている。この例では、取っ手は鏡をくり抜いて取り付けられている。１枚の扉の全面がかがみであるため、全身が映り使いやすい。
【００１７】
図２は、室内のドア４であり、その全面が鏡になっている。これは、浴室の前のドアである。よって、裸の全身がチェックでき健康管理に好適である。
【符号の説明】
【００１８】
１  洋服ダンス
２  引き出し
３  鏡
４  ドア
【図１】
0003195390.tif 000003
【図２】
0003195390.tif 000004
(57)【要約】      （修正有）【課題】洗濯物を干すためのポールや洋服タンスの中のハンガーを吊るすためのポールに引っかけて使用する針金ハンガー等が、ポールから簡単に外れることを防止するポールの外れ防止具を提供する。【解決手段】ポールの外れ防止具は、針金のような１本の線材を屈曲することにより構成され、ポールに引っかける為のフック部１と、ポールを固定するように押さえる為の押さえ部２と、物を吊り下げる為の吊り下げ部５と、屈曲した線材の一端によりポールの外れ防止具の全体を固定する係止部３を有し、押さえ部２と係止部３の間にバネ機能部４を有する。【選択図】図１
0003195312.tif 000002
【実用新案登録請求の範囲】
【請求項１】
針金のような１本の線材を屈曲することにより構成されたポールの外れ防止具において、ポール７に引っかける為のフック部１と、ポール７を固定するように押さえる為の押さえ部２と、物を吊り下げる為の吊り下げ部５と、屈曲した線材の一端によりポールの外れ防止具の全体を固定する係止部３を有し、押さえ部２と係止部３の間にバネ機能部４を有することを特徴としたポールの外れ防止具。
【考案の詳細な説明】
【技術分野】
【０００１】  本考案は洗濯物を干すためのポールや洋服タンスの中のハンガーを吊るすためのポールに引っかけて使用する針金ハンガー等が、ポールから簡単に外れることを防止するポールの外れ防止具に関する。
【背景技術】
【０００２】  従来の外れ防止具としては、ハンガーフック基部に設けたクリップＯリング固定輪にクリップＯリングを配置し、フック先端部に設けた掛け爪部へクリップＯリングを簡単に固定することが出来、物干し竿からの落下や、カラスによる持ち去り防止を可能とし、安心して衣類を干せることを特徴とする外れ防止ハンガーがあった。【０００３】
【特許文献１】特開２０１１−３９９
【考案の開示】
【考案が解決しようとする課題】
【０００４】  従来の外れ防止ハンガーでは、１本の針金による針金ハンガーにクリップＯリングを固定して使用するため、針金ハンガーの他に別部品であるクリップＯリングを用意しなくてはならず、２種類の部品を準備しなくてはならないといった課題を有すると共に、小さなクリップＯリングは失くしやすいので管理が面倒になるといった課題を有する。【０００５】  また、従来の外れ防止ハンガの構造では、最初に物干竿に針金ハンガを引っかけてから、次にクリップＯリングで固定するといった２回の操作が必要であるので、作業に時間がかかると共に作業が面倒といった課題を有する。
【課題を解決するための手段】
【０００６】  本考案のポールの外れ防止具は、針金のような１本の線材を屈曲することにより構成されたポールの外れ防止具において、ポール７に引っかける為のフック部１と、ポール７を固定するように押さえる為の押さえ部２と、物を吊り下げる為の吊り下げ部５と、屈曲した線材の一端によりポールの外れ防止具の全体を固定する係止部３を有し、押さえ部２と係止部３の間にバネ機能部４を有することを特徴とする。
【考案の効果】
【０００７】  本考案のポールの外れ防止具では、針金のような１本の線材のみを屈曲することにより構成されているので、別部品を準備する必要はないといった効果を有すると共に、ポールの外れ防止具のみで別部品がないので、管理が簡単になるといった効果を有する。【０００８】  また本考案のポールの外れ防止具では、ポールの外れ防止具のバネ機能部４を持ち手部６と共に手で握ってからフック部１をポール７に引っかけて手を離せば、ポールの外れ防止具はポール７にバネ機能により固定されるので、手で握って引っかけて手を離すといった一連の１回の動作で固定が完了するので、作業に時間がかからず作業が容易にできるといった効果を有する。
【考案を実施するための最良の形態】
【０００９】  以下、本考案の実施の形態を図１〜図３に基づいて説明する。【００１０】  図１は外れ防止具の説明図で靴を干したりバッグや紐等をかけたりする掛け具に応用した例、図２は外れ防止具の正面図で洋服を掛ける針金ハンガーに応用した例、図３は外れ防止具の側面図で針金ハンガーに応用した例、である。【００１１】  本考案の、ポールの外れ防止具の構造を説明する。【００１２】  本考案のポールの外れ防止具は、
（イ）針金のような１本の線材を屈曲することにより構成されたポールの外れ防止具にお      いて、
（ロ）物干し竿等のポール７に引っかける為のフック部１と、
（ハ）ポール７を固定するように押さえる為の押さえ部２と、
（ニ）物を吊り下げる為の吊り下げ部５と、
（ホ）屈曲した線材の一端によりポールの外れ防止具の全体を固定する係止部３を有し、
（ヘ）押さえ部２と係止部３の間にバネ機能部４を有する。
以上のように構成したことを特徴とする。【００１３】    本考案のポールの外れ防止具の使用方法を説明する。【００１４】    本考案のポールの外れ防止具の使用方法は、
（イ）バネ機能部４を持ち手部６と共に手で握ってバネ機能部を持ち手部６側に引き寄        せ、
（ロ）フック部１をポール７に引っかけて手を離せば、ポール７はフック部１とバネ機        能部４に挟まれ、バネ機能部４のバネの作用によりポールの外れ防止具はポール        ７に固定される。【００１５】    本考案のポールの外れ防止具は前記のような構造・使用方法であるので、持ち手部６  とバネ機能部４とを共に手で握った後に、ポールの外れ防止具をポール７に引っかけて  手を離すといった一連の１回の動作で固定が完了するので、作業に時間がかからず作業  が容易にできるといった効果を有するのである。【００１６】  図１の外れ防止具の説明図は、吊り下げ部５を靴を干したりバッグや紐等をかけたりする掛け具に応用した例であり、針金のような１本の線材の一端はポール７に引っかける為のフック部１として形成され、線材の他の一端は屈曲して掛け具として構成した外れ防止具の全体をまとめて固定する係止部３として形成されている。【００１７】  図２の外れ防止具の正面図と図３の外れ防止具の側面図は、吊り下げ部５を洋服を掛ける針金ハンガーに応用した例であり、フック部１、押さえ部２、係止部３、バネ機能部４、持ち手部６の構成は同じでも、吊り下げ部５の形状をいろいろな形状に変化させることにより、物を吊り下げるといった様々な用途に応用できるのである。
【図面の簡単な説明】
【００１８】
【図１】：外れ防止具の説明図
【図２】：外れ防止具の正面図
【図３】：外れ防止具の側面図
【符号の説明】
【００１９】  １  フック部          ２  押さえ部
３  係止部            ４  バネ機能部
５  吊り下げ部        ６  持ち手部
７  ポール
【図１】
0003195312.tif 000003
【図２】
0003195312.tif 000004
【図３】
0003195312.tif 000005
(57)【要約】      （修正有）【課題】植込みボルト取り付本体に容易かつ効率的に植込みボルトを取り付けることができる植込みボルト取り付治具を提供する。【解決手段】植込みボルト取り付治具１にテーパーピン２が略直交するテーパーピン挿入穴を開けて、テーパーピン２を取り付けたあと、植込みボルトに、植込みボルト取り付治具１を手でネジ込み、レンチで、植込みボルト取り付治具１を植込みボルトの締め込み位置決めストッパー３ｂ迄締め付ける。Ｗナットを装着しないので、植込みボルトの取り付に要する時間と手間を著しく低減できるようになる。更に、植込みボルト取り付治具１を取り外す際には、テーパーピン２を外すだけで、簡単に取りはずせるようになる。【選択図】図１
0003195315.tif 000002
【実用新案登録請求の範囲】
【請求項１】
雄ねじが形成された植え込みボルトの片側に螺着して、前記植え込みボルトを被植え込み部に締め込んで取り付ける植込みボルト取り付治具であって、植込みボルト取り付治具の軸心部に沿って刻設した植え込みボルトの雄ねじに螺合する雌ねじと、植込みボルト取り付治具の軸心に交差して穿孔したピン穴と、同ピン穴に挿入するピンとからなることを特徴とする植込みボルト取り付治具。
【請求項２】
上記ピン穴に挿入するピンがテーパーピンであることを特徴とする請求項１に記載の植込みボルト取り付治具。
【考案の詳細な説明】
【技術分野】
【０００１】本考案は、植込みボルトを容易かつ効率的に取り付けることができる植込みボルト取り付け治具
【背景技術】
【０００２】従来は、植込みボルトを被締め付け部（ボルトタップ部）に締め込む前に、植込みボルトの非締め付け部に、Ｗナットを手で、軽くねじ込んだ後、Ｗナットの片側ナットをトルクレンチで強く締め込んだあと、植込みボルトを被締め付け部（ボルトタップ部）に締め込んだあと、Ｗナットを上側と下側の２回に分けてレンチで外していた。
【考案の概要】
【０００３】
【考案が解決しようとする課題】
【０００４】従って、植込みボルトを被締め付け部（ボルトタップ部）に締め込んで、その後、Ｗナットの上側ナットと、下側ナットを２回に分けてレンチで植込みボルトから外しているので、非常に時間と労力を要していた。また、Ｗナットが緩むこともあり、この際は、Ｗナットを再度締め直すために、多大な時間と手間を要する不具合があった。
【課題を解決するための手段】
【０００５】本考案は、雄ねじが形成された植え込みボルトの片側に螺着して、前記植え込みボルトを被植え込み部に締め込んで取り付ける植込みボルト取り付治具であって、植込みボルト取り付治具の軸心部に沿って刻設した植え込みボルトの雄ねじに螺合する雌ねじと、植込みボルト取り付治具の軸心に交差して穿孔したピン穴と、同ピン穴に挿入するピンとからなる植込みボルト取り付治具で、ピン穴に挿入するピンがテーパーピンである。
【考案の効果】
【０００６】上記構成とした植込みボルト取り付治具は、Ｗナットを装着しないので、植込みボルトの取り付に要する時間と手間を著しく低減できるようになった。
【図面の簡単な説明】
【０００７】
【図１】本考案に係る植込みボルト取り付治具を介して、植込みボルトをボルトタップ部に締め込んだ状況を示す一部破断の正面図、
【図２】図１のａ−ａ矢視の縦断面図である。
【考案を実施するための形態】
本考案に係る実施例を図１と図２を参照して、以下、具体的に説明する。
【実施例】
【０００８】図１と図２に図示するように、本考案に係る実施例では、植込みボルト取り付治具（本体）１の下部は、植込みボルト３の雄ねじに螺合する雌ねじを刻設し、植込みボルト取り付治具の軸心に交差してテーパーピン挿入穴１ｂを穿孔して、テーパーピン２を取り付けたあと、テーパーピン２に植込みボルトの非締め込み部３ａの一端が当たるまで手でネジ込んだあと、図示省略のレンチを用いて、植込みボルト取り付治具１を植込みボルト３の締め込み位置決めストッパー３ｂ迄締め込んだ。植込みボルト取り付治具（本体）１を植込みボルト３から取り外す際には、テーパーピン２を外すだけで、簡単に取り外せた。図中の３ｃは植込みボルトのねじ込み部を図示している。なお、本実施例では、植込みボルト取り付治具１の中心よりやや上部にテーパーピン２が入るテーパーピン挿入穴１ｂ（角又は丸孔）を穿孔し、植込みボルト取り付治具１の下部は、植込みボルト３の雄ねじに螺合する雌ねじを刻設した。テーパーピンは勾配をつけた角又は丸状のピンとしても良い。角ピンの場合は、治具本体も斜めの角孔とする。丸ピンの場合は、治具本体も斜めの丸孔とする。
【産業上の利用可能性】
【０００９】本考案は植込みボルト取り付のみならず、長いボルトのネジ入れ込み、アンカーボルトのネジ入れ込み、天井ボルトのネジ入れ込み等にも利用できる。【００１０】
【符号の説明】
【００１１】１・・・・・植込みボルト取り付治具（本体）
１ａ・・・・植込みボルト取り付治具のタップ部
１ｂ・・・・テーパーピン挿入穴
２・・・・・テーパーピン
３・・・・・植込みボルト
３ａ・・・・植込みボルトの非締め込み部
３ｂ・・・・植込みボルトの締め込み位置決めストッパー
３ｃ・・・・植込みボルトのねじ込み部
４  ・・・・植込みボルト取り付本体
【図１】
0003195315.tif 000003
【図２】
0003195315.tif 000004
(57)【要約】      （修正有）【課題】道着を着用する際や、練習中や試合中に帯がほどけても、帯の中心がすぐにわかり素早く帯を締めることができる武道着用帯を提供する。【解決手段】武道着用帯本体１０に帯の両端から均等に二分した位置に帯の中心を表す目印１１を設けたものである。帯の中心を表す目印１１によって帯の中心が一目でわかり、帯を締める際に素早く結ぶことが可能となる。【選択図】図１
0003195314.tif 000002
【実用新案登録請求の範囲】
【請求項１】
帯の両端から均等に二分した位置に、帯の中心を表す目印を設けたことを特徴とする武道着用帯。
【請求項２】
前記武道着用帯において、前記帯の中心を表す目印が、１以上の帯を構成する生地と生地とが突き合わされた際に生じるラインによって表される請求項１に記載の武道着用帯。
【請求項３】
前記武道着用帯において、前記帯の中心を表す目印が、ステッチによって表される請求項１に記載の武道着用帯。
【請求項４】
前記武道着用帯において、前記帯の中心を表す目印が、帯を構成する生地以外のパッチ（当て布）を縫い付けることで表される請求項１に記載の武道着用帯。
【請求項５】
前記武道着用帯において、前記帯の中心を表す目印が、刺繍によって表される請求項１に記載の武道着用帯。
【請求項６】
前記武道着用帯において、前記帯の中心を表す目印が、帯に直接印刷されることによって表される請求項１に記載の武道着用帯。
【請求項７】
前記武道着用帯において、前記帯の中心を表す目印が、請求項２から請求項６において２以上の組合せによって表される請求項１に記載の武道着用帯。
【考案の詳細な説明】
【技術分野】
【０００１】  本考案は、帯の中心に目印を設け、帯の中心が一目でわかるようにした、武道着用帯に関するものである。
【背景技術】
【０００２】  柔道、空手、合気道、柔術など道着を着用する武道において、道着を着用する際に上衣がはだけないように帯を締める。従来の武道着用帯は、帯の中心に目印となるものが設けられておらず、帯を締める際に帯の中心を見つけるために、帯の両端をそろえ中心をわざわざ確認する必要があった。
【考案の概要】
【考案が解決しようとする課題】
【０００３】  本考案は、道着を着用する際や、練習中や試合中に帯がほどけても、帯の中心がすぐにわかり素早く結ぶことができる、武道着用帯を提供するものである。
【課題を解決するための手段】
【０００４】  本考案は、武道着用帯であって帯の両端から均等に二分した位置に中心を表す目印を設ける手段を講じたものである。この中心を表す目印によって帯の中心が一目でわかり、帯を締める際に素早く結ぶことが可能となり、課題を解決している。
【考案の効果】
【０００５】  上述の様に、本考案は、帯を結ぶ際や帯がほどけた際に目印によって帯の中心を瞬時に理解できる。道着の着用時はもちろん練習、試合などで帯がほどけたりした場合でも、素早く帯を結びなおせるので、練習や試合の中断時間を短縮することができる。【０００６】  また入門者に帯の結び方を教える際に、帯の中心に目印が設けられていればわかりやすく伝えることが可能であり、教わる側も理解しやすい。
【図面の簡単な説明】
【０００７】
【図１】本考案の実施例１を示す斜視図である。
【図２】図１のＡ−Ａ線に沿う断面図である。
【図３】本考案の実施例２を示す斜視図である。
【図４】図２のＢ−Ｂ線に沿う断面図である。
【図５】本考案の実施例３を示す斜視図である。
【図６】本考案の実施例４を示す斜視図である。
【図７】本考案の実施例５を示す斜視図である。
【図８】本考案の実施例６を示す斜視図である。
【考案を実施するための形態】
【０００８】  柔道、空手、合気道、柔術など多くの武道は徒手で行われるため、武道着用帯の全体又は一部に金属や木、皮革や樹脂など硬質の素材を用いることは、怪我や事故の恐れがあるため好ましくない。本考案の武道着用帯の中心を表す目印も安全上の理由から硬質の素材を用いることなく実現するために、以下の実施例を挙げる。
【実施例１】
【０００９】  本考案の実施例１を、図１及び図２に基づいて説明する。図１は実施例１を示す斜視図である。図２は図１のＡ−Ａ線に沿う断面図である。武道着用帯本体１０の帯の中心を表す目印１１として、帯を構成する生地１２をプリーツ状に折りたたんだ上で縫い合わせることで、生地１２を突き合わせた際に出来るラインを帯の中心を表す目印１１とする。こうすることで他の部材を用いることなく帯の中心を表す目印１１を実現する。
【実施例２】
【００１０】  実施例２を、図３及び図４に基づいて説明する。図３は実施例１を示す斜視図である。図４は図３のＢ−Ｂ線に沿う断面図である。武道着用帯本体１０の中心を表す目印１１として、帯を構成する生地１２を複数枚用いて、生地１２を突き合わせた際に出来るラインを帯の中心を表す目印１１とする。こうすることで他の部材を用いることなく帯の中心を表す目印１１を実現する。
【実施例３】
【００１１】  実施例３を図５に基づいて説明する。図５は武道着用帯本体１０の中心位置に、帯の中心を表す目印としてステッチによって帯の中心を表す目印２０を表したものである。ステッチを帯に入れる面は片面、両面を問わない。
【実施例４】
【００１２】  実施例４を図６に基づいて説明する。図６は武道着用帯本体１０の中心位置に、パッチ（当て布）を用いパッチ（当て布）によって帯の中心を表す目印３０を表したものである。パッチ（当て布）の縫い付けは帯の片面、両面を問わない。
【実施例５】
【００１３】  実施例５を図７に基づいて説明する。図７は武道着用帯本体１０の中心位置に、刺繍によって帯の中心を表す目印４０を表したものである。図７で刺繍の形状を星形で表しているが、刺繍の形状や刺繍の際に片面、両面を問わない。
【実施例６】
【００１４】  実施例６を図８に基づいて説明する。図８は武道着用帯本体１０の中心位置に、印刷によって帯の中心を表す目印５０を表したものである。図８で印刷の形状を直線で表しているが、印刷の形状や方法及び印刷する際に帯の片面、両面を問わない。
【符号の説明】
【００１５】１０  武道着用帯本体
１１  帯の中心を表す目印
１２  生地
１３  帯芯
２０  ステッチによって帯の中心を表す目印
３０  パッチ（当て布）によって帯の中心を表す目印
４０  刺繍によって帯の中心を表す目印
５０  印刷によって帯の中心を表す目印
【図１】
0003195314.tif 000003
【図２】
0003195314.tif 000004
【図３】
0003195314.tif 000005
【図４】
0003195314.tif 000006
【図５】
0003195314.tif 000007
【図６】
0003195314.tif 000008
【図７】
0003195314.tif 000009
【図８】
0003195314.tif 000010
(57)【要約】      （修正有）【課題】カーテンレール上面の埃を容易に取り除き、更に埃がたまる前にきれいにすることができる構造としたカーテンレール取付具を提供する。【解決手段】本体１を屈曲可能な線状部材によりカーテンランナーに取り付けて、カーテンの開け閉めによって本体１のついたカーテンランナーが動き、カーテンレール上面部に配置したはたき状の部分２によって、カーテンレール上面の埃を落としてきれいにできるようにした。【選択図】図１
0003195316.tif 000002
【実用新案登録請求の範囲】
【請求項１】
カーテンランナーに取り付けられる本体（１）と屈曲可能な線状部材により本体に接続され、カーテンレール上面部に配置されるはたき状の部分（２）と、を備えたカーテンランナー取付具。
【考案の詳細な説明】
【技術分野】
【０００１】  本考案は、本体（１）をカーテンランナーに取り付けることによって、カーテンの開け閉めにより、はたき状の部分（２）が動き、カーテンレール上面の埃をきれいにするようにしたものである。
【考案の概要】
【考案が解決しようとする課題】
【０００２】  カーテンレール上面の埃は、長い間にすごくたまり、衛生的に良くないし、掃除をするのが面倒なので、本考案はこの課題を解消するためになされたものである。
【課題を解決するための手段】
【０００３】  本体（１）をカーテンランナーに取り付けることによって、カーテンレールの開け閉めで本体（１）が動き、はたき状の部分（２）が動き、カーテンレール上面の埃をきれいにするようにした。
【考案の効果】
【０００４】  このようにすれば、面倒な掃除もしなくても、カーテンレール上面の埃がたまる前にきれいにすることができる。
【図面の簡単な説明】
【０００５】
【図１】本体（１）の全体図
【図２】本体（１）の側面図
【考案を実施するための形態】
【０００６】  カーテンランナーに本体（１）の粘着テープ（４）のついたクリップ状の部分（３）で取り付け、カーテンランナーからカーテンレール上面にのびるような形状とし、針金状に曲がることができるようにして位置を調節できるようにする。さらにうちわ状の部分（２）を組み合わせ、カーテンレール上面の埃をきれいにできるようにする。尚粘着テープ（４）とクリップ状の部分（３）の間にスポンジを取り付けても良い。
【符号の説明】１  本体
２  はたき状の部分
３  クリップ状の部分
４  粘着テープ
【図１】
0003195316.tif 000003
【図２】
0003195316.tif 000004